(57)【要約】【課題】本発明は、電界強度の変動やマルチパスノイズによる音質の低下を防ぐＦＭ受信機、ＦＭ受信機のノイズ除去装置及びノイズ除去方法を提供することを課題とする。【解決手段】演算器９によって、時定数回路５によって時定数が定められたＲＳＳＩ信号に基いたものから、時定数回路６によって時定数が定められたマルチパスノイズの検出信号に基いたものを減算した信号を制御信号としてステレオノイズコントロール回路等に出力する。これにより、マルチパスフェージングに対応してセパレーションの劣化等を制御することが出来、音質の低下を防ぐことが出来る。【選択図】　　図１
2004128930.tif 000002
【特許請求の範囲】
【請求項１】
受信電波の強度を示すＲＳＳＩ信号を出力する第１の検波手段と、
前記ＲＳＳＩ信号に第１の時定数を設定する第１の時定数設定手段と、
ＩＦ信号に含まれる高周波成分に対応した検波信号を出力する第２の検波手段と、
前記第２の検波手段が出力した前記検波信号に第２の時定数を設定する第２の時定数設定手段と、
前記ＲＳＳＩ信号に基く信号から前記検波信号に基く信号を減算した信号を制御信号として出力する演算手段と、
前記制御信号に基いて、ステレオノイズコントロール回路、ハイカットコントロール回路又はミューティング回路の少なくとも１つを制御する制御手段と、
を備えることを特徴とするＦＭ受信機。
【請求項２】
受信電波の強度を示すＲＳＳＩ信号を出力する第１の検波手段と、
前記ＲＳＳＩ信号に第１の時定数を設定する第１の時定数設定手段と、
ＩＦ信号に含まれる高周波成分に対応した検波信号を出力する第２の検波手段と、
前記第２の検波手段が出力した前記検波信号に第２の時定数を設定する第２の時定数設定手段と、
前記ＲＳＳＩ信号に基く信号から前記検波信号に基く信号を減算した信号を制御信号として出力する演算手段と、
を備えることを特徴とするＦＭ受信機のノイズ除去装置。
【請求項３】
請求項１又は２に記載のＦＭ受信機又はＦＭ受信機のノイズ除去装置であって、前記第１の時定数は前記第２の時定数より大きいことを特徴とする。
【請求項４】
請求項１乃至３の何れか１つに記載のＦＭ受信機又はＦＭ受信機のノイズ除去装置であって、前記高周波成分は、マルチパスノイズによるものであることを特徴とする。
【請求項５】
ＦＭ受信機のノイズ除去方法であって、
ＩＦ信号の強度に比例した大きさを持ち、第１の時定数を持つ第１の検波信号から、前記ＩＦ信号の高周波成分の強度に基いた大きさを持ち、第２の時定数を持つ第２の検波信号を減算し、該減算結果を制御信号とし、
該制御信号に基いてステレオノイズコントロール回路、ハイカットコントロール回路又はミューティング回路の少なくとも１つを制御することを特徴とするノイズ除去方法。
【請求項６】
請求項５に記載のノイズ除去方法であって、前記高周波成分は、マルチパスノイズによるものであることを特徴とする。
【発明の詳細な説明】
【０００１】
【発明の属する技術分野】
本発明は、受信機のノイズ除去の技術に関し、更に詳しくはＦＭ受信機のマルチパスノイズ除去の技術に関する。
【０００２】
【従来の技術】
ＦＭ受信機においては、受信機の移動等による受信電波の電界強度の変化や、受信電波に各種のノイズが混入することにより良好な受信状態が阻害される。
ＦＭ受信機において受信障害を引き起こす要因の一つに、ＦＭ波の直接波と反射波が時間差レベル差によって相互干渉を起こして信号に歪みが生じる
マルチパスフェージングがある。尚本明細書では、マルチパスフェージングによって生じる信号歪みをマルチパスノイズという。
【０００３】
このマルチパスノイズに考慮したＦＭ受信機としては、例えば特許文献１に記載されたＦＭ受信機がある。このＦＭ受信機は、時定数を決めるコンデンサＣ１１，Ｃ１２を並列に設けている。そして通常の放送受信時は、コンデンサＣ１１によって定まる時定数を用いてチャンネルセパレーションの劣化させてマルチパスノイズに対応し、受信モード切り替え時には容量の小さいコンデンサＣ１２に切り替えて時定数を小さくすることによって、受信モード切り替え等で生じる高周波信号にチャンネルセパレーションを劣化させる時間を短くしている。
【０００４】
【特許文献１】
特開平６−１４０９４６号公報（図１、第２−３頁）
【０００５】
【発明が解決しようとする課題】
本発明は、マルチパスフェージングに対応してセパレーションの劣化等を制御することにより、音質の低下を防ぐＦＭ受信機、ＦＭ受信機のノイズ除去装置及びノイズ除去方法を提供することを課題とする。
【０００６】
【課題を解決するための手段】
上記課題を解決するため、本発明によるＦＭ受信機は、第１の検波手段、第１の時定数設定手段、第１の時定数設定手段、第２の検波手段、第２の時定数設定手段、演算手段及び制御手段を備える。
【０００７】
第１の検波手段は、受信電波の強度を示すＲＳＳＩ信号を出力する。
第１の時定数設定手段は、上記ＲＳＳＩ信号に第１の時定数を設定する。
第２の検波手段は、ＩＦ信号に含まれる例えばマルチパスノイズによる高周波成分に対応した検波信号を出力する。
【０００８】
第２の時定数設定手段は、上記第２の検波手段が出力した上記検波信号に第２の時定数を設定する。上記第２の時定数には、例えば上記第１の時定数より小さい値が設定される。
演算手段は、上記ＲＳＳＩ信号に基く信号から上記検波信号に基く信号を減算した信号を制御信号として出力する。
【０００９】
制御手段は、上記制御信号に基いて、ステレオノイズコントロール回路、ハイカットコントロール回路又はミューティング回路の少なくとも１つを制御する。又本発明は、上記第１の検波手段、第１の時定数設定手段、第１の時定数設定手段、第２の検波手段、第２の時定数設定手段及び演算手段を備えたＦＭ受信機のノイズ除去装置として、或いはノイズ除去方法として実現しても良い。
【００１０】
本発明によれば、通常は上記第１の時定数を持つ上記ＲＳＳＩ信号に基いて上記制御信号が変化し、例えばマルチパスノイズによる高周波成分が生じた場合、上記第２の時定数を持つ上記検波信号に基いて上記制御信号が変化する。よってこの制御信号を用いれば、２つの時定数を切り替えた制御信号を実現することが出来る。また、時定数切替えによる時間遅れが生じない。
【００１１】
【発明の実施の形態】
以下に図面を参照しながら本発明の一実施形態について説明する。
図１は、本実施形態のＦＭ受信機のマルチパスノイズの検出部分の構成を示すブロック図である。同図では、ＩＦ増幅器からの出力を入力信号Ｖｉｎとしてマルチパスノイズを検出している。
【００１２】
本実施形態のＦＭ受信機では、ＲＳＳＩ（Ｒｅｃｅｉｖｅｄ　Ｓｉｇｎａｌ　Ｓｔｒｅｎｇｔｈ　Ｉｎｄｉｃａｔｏｒ）を用いた受信電波の電界強度を検出する構成と、マルチパスノイズを検出する構成を持ち、電界強度を示す信号からマルチパスノイズの検波信号を減算したものをステレオノイズコントロール回路等への制御信号としている。
【００１３】
図１の構成では、リミッタ（ＬＩＭＩＴ）１、ＦＭ検波器（ＦＭ　ＤＥＴ）２、ハイパスフィルタ（ＨＰＦ）３、振幅検波器４、２つの時定数回路５及び６、２つの増幅器７及び８、演算器９、同調回路１０及び抵抗器Ｒ２〜Ｒ５を有している。
【００１４】
リミッタ１は、ＦＭ検波器２の前段に設けられ、ＦＭ検波器２によるＦＭ検波の前に信号の振幅変化を取り除くものである。また同図のリミッタ１は、振幅制限を加えた信号の他に、ＩＦ増幅器からの出力信号の強度の変化を電圧値の変化として示し、受信電波の強度に比例した大きさの電圧値を持つＲＳＳＩ信号を出力する。
【００１５】
ＦＭ検波器２は、ＩＦ信号を復調して音声信号（Ａｕｄｉｏ）を出力する回路である。またＦＭ検波器２は、音声信号とは別にマルチパスノイズ検出用の信号を出力する。
ＦＭ検波器２はクワドラチャ型の検波器で、乗算器２１によってＩＦ信号とこのＩＦ信号を移相コンデンサＣ２１によって９０度位相をずらした移相信号の積を作り、この信号からローパスフィルタとして働くコンデンサＣ２２によってＦＭ信号波と移相信号の周波数の和にあたる周波数信号を有する成分を除去して音声信号（Ａｕｄｉｏ）を出力する。コンデンサＣ２１から出力される移相信号は、増幅器２２によって増幅された後ハイパスフィルタ３により１００ｋＨｚ以上の高周波成分が抽出される。
【００１６】
ハイパスフィルタ３は、マルチパスノイズの周波数を通過帯域としたハイパスフィルタで、ＦＭ検波器２から出力されるマルチパスノイズ検出用の信号から１００ｋＨｚ以上の高周波数成分を取り出しマルチパスノイズを抽出する。
振幅検波器４は、入力信号の振幅に応じた大きさのＤＣ電圧を出力する。
【００１７】
時定数回路５は、演算器９に入力されるＲＳＳＩ信号の時定数を設定するもので抵抗Ｒ０とコンデンサＣ０によって形成されている。また時定数回路６は、演算器９に入力されるマルチパスノイズの検出信号の時定数を設定するもので抵抗Ｒ１とコンデンサＣ１によって形成されている。この時定数回路６により、例えば４００〜５００ＫＨｚ以上の周波数の信号（１０．７ＭＨｚの中間周波信号を含む）が取り除かれ、マルチパスノイズの大きさに比例した電圧により時定数回路６のコンデンサＣ１が充電される。尚時定数回路５よって設定される時定数ｔ０（＝Ｒ０・Ｃ０）と時定数回路６によって設定される時定数ｔ１（＝Ｒ１・Ｃ１）との関係は、ｔ０＞ｔ１となる。
【００１８】
増幅器７及び８は、演算器９の２つの入力に設けられている２つの時定数回路５及び６のインピーダンスのバランスを取るために設けられたもので、例えばオペアンプを用いたボルテージフォロアによって実現される。時定数回路５の抵抗Ｒ０の方が時定数回路６の抵抗Ｒ１より大きいので、増幅器７，８によって両者のインピーダンスの差による影響を吸収する。
【００１９】
演算器９は、減算回路として働き、増幅器８を介して入力されるＲＳＳＩ信号を抵抗Ｒ２、Ｒ３によって決まる増幅率で増幅した値から、増幅器７を介して入力されるマルチパスノイズを抵抗Ｒ４、Ｒ５によって決まる増幅率で増幅したものを引いた信号を制御信号としてステレオノイズコントロール回路に出力する。そしてステレオノイズコントロール回路では、この制御信号に基いて、チャンネルセパレーションの制御を行う。尚この演算器９の出力には中間周波数信号のキャリア周波数（１０．７ＭＨｚ）の信号成分が含まれているので、これを除去する為に、演算器９の後段にローパスフィルタを設けるか、演算器９に周波数特性の悪いＯＰアンプを用いる必要がある。
【００２０】
同調回路１０は、コンデンサＣ１０１及びコイルＬ１０１より構成され、その共振周波数は入力ＦＭ信号の中心周波数（１０．７ＭＨｚ）に設定されている。
この図１の構成では、受信電波にマルチパスノイズが乗っていない通常状態では、演算器９は、ＲＳＳＩ信号に比した制御信号をステレオノイズコントロール回路に出力する。しかし、マルチパスが生じて受信信号に高周波のマルチパスノイズが乗ると、この高周波ノイズの大きさに対応した信号がハイパスフィルタ３、振幅検波器４、時定数回路６及び増幅器７を介して、演算器９に入力される。演算器９では、この信号を特定の増幅率で増幅した信号を上記したＲＳＳＩ信号に比した信号から引いた大きさの信号を制御信号として、ステレオノイズコントロール回路に出力する。よって、演算器９からは、通常は、時定数ｔ０をもつ、ゆるやかに変動している受信電波の強度に比した大きさの制御信号が出力され、マルチパスノイズが発生すると、時定数ｔ０より小さな時定数ｔ１で定まる期間、制御信号の大きさが低くなる。ステレオノイズコントロール回路では、マルチパスノイズが生じると、制御信号のレベルが時定数ｔ１で定まる期間下がるので、その間セパレショーンを劣化させる。
【００２１】
この様に、図１の構成では、通常は時定数ｔ０を持つ上記ＲＳＳＩ信号に基いて演算器９から出力される制御信号が変化し、マルチパスノイズによる高周波成分が生じた場合には時定数ｔ１を持つ検波信号に基いて制御信号が変化するので、ステレオノイズコントロール回路がこの制御信号を用いてセパレーションを制御することによって、２つの時定数を切り替えた制御信号を実現することが出来る。またこの時、時定数切替えによる時間遅れが生じない。よってマルチパスフェージングに対応してセパレーションの劣化等を制御することが出来、音質の低下を防ぐことが出来る。
【００２２】
尚図１の演算器から出力される制御信号は、ステレオノイズコントロール回路に出力してマルチセパレーションの制御にのみ用いるのではなく、高域成分の減衰動作を行うハイカットコントロール回路（ＨＣＣ）に出力しても、あるいはスマートミュート（Ｓｍｕｔｅ）を行うミューティング回路に出力する構成でも良い。またステレオノイズコントロール回路、ハイカットコントロール回路及びミューティング回路を全てこの制御信号によって同時に制御する構成としても、これらの内、１乃至２に対して制御する構成としても良い。更にはこれら３つの内の全て、或いは１乃至２を任意に選択できる構成を備え、必要に応じて選択切り替えして制御する構成としても良い。
【００２３】
また、図１の構成では、ＦＭ検波器２の移相コンデンサＣ２１の出力をマルチパスノイズ検出用の信号としていたが、図１の実線Ａではなく点線Ｂのように構成し、音声信号をマルチパスノイズ検出用の信号としても良い。この構成の場合、音声信号は、幅の広い帯域の信号が含まれているので、実線Ａの様に構成した場合よりもハイパスフィルタ３の周波数特性を厳密に設定しなければならないが、受信機がノイズキャンセラを用いる場合には、ハイパスフィルタ３をノイズキャンセラのハイパスフィルタと共用することが出来る。
【００２４】
【発明の効果】
本発明によれば、マルチパスフェージングに対応してセパレーションの劣化等を制御することが出来、音質の低下を防ぐことが出来る。またこの時、時定数切替えによる時間遅れが生じない。
【図面の簡単な説明】
【図１】本実施形態のＦＭ受信機のマルチパスノイズの検出部分の構成を示すブロック図である。
【符号の説明】
１　リミッタ
２　ＦＭ検波器
３　ハイパスフィルタ
４　振幅検波器
５、６　時定数回路
７、８、２２　増幅器
９　演算器
１０　同調回路
２１　乗算器
Ｒ０、Ｒ１、Ｒ２、Ｒ３、Ｒ４、Ｒ５　抵抗器
Ｃ１、Ｃ２、Ｃ２１、Ｃ２２、Ｃ１０１　コンデンサ
Ｌ１０１　コイル
【図１】
2004128930.tif 000003